【手続補正書】
【提出日】平成26年8月1日(2014.8.1)
【手続補正１】
【補正対象書類名】特許請求の範囲
【補正対象項目名】全文
【補正方法】変更
【補正の内容】
【特許請求の範囲】
【請求項１】
ビデオデータの再生中に立体メニューの外観を制御する方法であって、該立体メニューは少なくとも１つのグラフィカル要素を含み、該グラフィカル要素はある深さに配置される、方法であって、
前記立体メニューの深さを減少または増加させるためにユーザ入力を受け取ることと、
前記ユーザ入力に応じて前記グラフィカル要素の前記深さを変更することと、
を含む、前記方法。
【請求項２】
前記ユーザ入力に応じて前記グラフィカル要素の前記深さを変更することは、前記グラフィカル要素の前記深さに深さファクタを乗算することを含む、請求項１記載の方法。
【請求項３】
前記ユーザ入力に応じて前記グラフィカル要素の前記深さを変更することは、前記グラフィカル要素の前記深さに深さオフセット値を加算することを含む、請求項１または２記載の方法。
【請求項４】
前記ユーザ入力を、前記立体メニューと共に提供されたまたはビデオデータの再生装置の製造者によって指定された入力値の指定の範囲と比較すること、及び／または、
前記グラフィカル要素の結果として生じる深さを、前記立体メニューと共に提供されたまたはビデオデータの前記再生装置の前記製造者によって指定された指定の深さ範囲と比較すること、
を更に含む、請求項１ないし３のいずれか１項に記載の方法。
【請求項５】
前記立体メニューの前記外観を制御することが禁止されているかをチェックすることを更に含む、請求項１ないし４のいずれか１項に記載の方法。
【請求項６】
ビデオデータの再生の装置であって、少なくとも１つのグラフィカル要素を含む立体メニューを生成するメニュージェネレータを有しており、前記グラフィカル要素はある深さに配置される、装置であって、
前記立体メニューの深さを減少または増加させるためにユーザ入力を受け取るように構成された入力部と、
前記ユーザ入力に応じて前記グラフィカル要素の前記深さを変更するように構成された深さコントローラと、
を含む、前記装置。
【請求項７】
前記深さコントローラは、前記グラフィカル要素の前記深さに深さファクタを乗算することにより前記ユーザ入力に応じて前記グラフィカル要素の前記深さを変更するように構成された乗算器を含む、請求項６記載の装置。
【請求項８】
前記深さコントローラは、前記グラフィカル要素の前記深さに深さオフセット値を加算することにより前記ユーザ入力に応じて前記グラフィカル要素の前記深さを変更するように構成された加算器を含む、請求項６または７記載の装置。
【請求項９】
前記ユーザ入力を、前記立体メニューと共に提供されたまたは前記装置の製造者によって指定された入力値の指定の範囲と比較し、及び／または、前記グラフィカル要素の結果として生じる深さを、前記立体メニューと共に提供されたまたは前記装置の前記製造者によって指定された指定の深さ範囲と比較するように構成されたコンパレータを更に含む、請求項６ないし８のいずれか１項に記載の装置。
【請求項１０】
前記立体メニューの前記外観を制御することが禁止されているかをチェックするように構成されたコントローラを更に含む、請求項６ないし９のいずれか１項に記載の装置。
【請求項１１】
ビデオデータ及びメニューデータを含むデータ構造であって、該メニューデータが少なくとも１つのグラフィカル要素を有する立体メニューを含み、該グラフィカル要素は深さ値が与えられる、データ構造であって、
許可された入力値の範囲についての情報、及び／または前記立体メニューの前記外観を制御するための許可された深さ値の範囲についての情報を含む、前記データ構造。
【請求項１２】
ビデオデータ及びメニューデータを含むデータ構造であって、該メニューデータが少なくとも１つのグラフィカル要素を有する立体メニューを含み、該グラフィカル要素は深さ値が与えられる、データ構造であって、
前記立体メニューの前記外観を制御することが許可または禁止されるかについての情報を含む、前記データ構造。
【請求項１３】
ビデオデータ及びメニューデータを含む記録媒体であって、該メニューデータが少なくとも１つのグラフィカル要素を有する立体メニューを含み、該グラフィカル要素は深さ値が与えられる、記録媒体であって、
前記立体メニューの前記外観を制御するための許可された入力値の範囲についての情報、前記立体メニューの前記外観を制御するための許可された深さ値の範囲についての情報、及び、前記立体メニューの前記外観を制御することが許可または禁止されるかについての情報のうちの少なくとも１つを含む、前記記録媒体。
【手続補正２】
【補正対象書類名】明細書
【補正対象項目名】００２４
【補正方法】変更
【補正の内容】
【００２４】
装置４が２面モードと１面モードとの両方をサポートする場合には、装置４はユーザ制御の深さファクタ及びオフセットが「０」に設定されているか否かを都合良く検出する。これがその場合には、装置４は、グラフィックスシステムを２面モードから１面モードに切り替えて、３Ｄメニュー１のフラット／２Ｄバージョンを単一のグラフィックス面にレンダリングする。その後、ユーザ制御の深さファクタ及びオフセットが「０」から何らかの正の値に戻ったことが検出されると、装置４は、グラフィックスシステムを２面モードに戻すように切り替え、利用できるステレオペアの使用を含むメニュー１の立体３Ｄバージョン(stereoscopic 3D version)をレンダリングすることを再度開始する。
本発明は以下の態様を含む。
（付記１）
ビデオデータの再生中に立体メニュー（１）の外観を制御する方法であって、該立体メニュー（１）が１以上のグラフィカル要素（１１，１２，１３）を含み、該グラフィカル要素（１１，１２，１３）の各々は所定の深さ（Ｚnominal）に配置される、方法において、
前記立体メニュー（１）の深さを減少または増加させるためにユーザ入力（２０）を受け取るステップと、
前記ユーザ入力（２０）に応じて前記グラフィカル要素（１１，１２，１３）の各々の深さ（Ｚnominal）を変更するステップ（３１，４１）と
を含む、前記方法。
（付記２）
前記ユーザ入力（２０）に応じて前記グラフィカル要素（１１，１２，１３）の各々の深さ（Ｚnominal）を変更するステップは、前記グラフィカル要素（１１，１２，１３）の各々の深さ（Ｚnominal）に深さファクタを乗算すること（３１）を含む、付記１記載の方法。
（付記３）
前記ユーザ入力（２０）に応じて前記グラフィカル要素（１１，１２，１３）の各々の深さ（Ｚnominal）を変更するステップは、前記グラフィカル要素（１１，１２，１３）の各々の深さ（Ｚnominal）に深さオフセット値を加算することを含む、付記１または２記載の方法。
（付記４）
前記ユーザ入力（２０）を、前記立体メニュー（１）と共に提供されたまたはビデオデータの再生装置（４）の製造者によって指定された入力値の指定の範囲と比較するステップ、及び／または、前記グラフィカル要素（１１，１２，１３）の各々の最終的な深さ（Ｚactual）を、前記立体メニュー（１）と共に提供されたまたはビデオデータの前記再生装置（４）の前記製造者によって指定された指定の深さ範囲と比較するステップを更に含む、付記１ないし３のいずれか１項に記載の方法。
（付記５）
前記立体メニュー（１）の前記外観を制御することが禁止されているか否かをチェックするステップを更に含む、付記１ないし４のいずれか１項に記載の方法。
（付記６）
ビデオデータを再生する装置（４）であって、１以上のグラフィカル要素（１１，１２，１３）を含む立体メニュー（１）を生成するメニュージェネレータ（５）が付いていて、前記グラフィカル要素（１１，１２，１３）の各々が所定の深さ（Ｚnominal）に配置されている、装置（４）において、
前記立体メニュー（１）の深さを減少または増加させるためにユーザ入力（２０）を受け取る入力部（６）と、
前記ユーザ入力（２０）に応じて前記グラフィカル要素（１１，１２，１３）の各々の深さ（Ｚnominal）を変更する（３１，４１）深さコントローラ（７）と
を備える、前記装置（４）。
（付記７）
前記深さコントローラ（７）は、前記グラフィカル要素（１１，１２，１３）の各々の深さ（Ｚnominal）に深さファクタを乗算すること（３１）によって前記ユーザ入力（２０）に応じて前記グラフィカル要素（１１，１２，１３）の各々の深さ（Ｚnominal）を変更する乗算器（８）を含む、付記６記載の装置（４）。
（付記８）
前記深さコントローラ（７）は、前記グラフィカル要素（１１，１２，１３）の各々の深さ（Ｚnominal）に深さオフセット値を加算することによって前記ユーザ入力（２０）に応じて前記グラフィカル要素（１１，１２，１３）の各々の深さ（Ｚnominal）を変更する加算器（９）を含む、付記６または７記載の装置（４）。
（付記９）
前記ユーザ入力（２０）を、前記立体メニュー（１）と共に提供されたまたは前記装置（４）の製造者によって指定された入力値の指定の範囲と比較し、及び／または、前記グラフィカル要素（１１，１２，１３）の各々の最終的な深さ（Ｚactual）を、前記立体メニュー（１）と共に提供されたまたは前記装置（４）の前記製造者によって指定された指定の深さ範囲と比較するコンパレータ（１０）を更に含む、付記６ないし８のいずれか１項に記載の装置（４）。
（付記１０）
前記立体メニュー（１）の前記外観を制御することが禁止されているか否かをチェックするコントローラ（１４）を更に含む、付記６ないし９のいずれか１項に記載の装置（４）。
（付記１１）
ビデオデータ及びメニューデータを含むデータ構造であって、該メニューデータが１以上のグラフィカル要素（１１，１２，１３）を有する立体メニュー（１）を含み、該グラフィカル要素（１１，１２，１３）の各々には深さ値（Ｚnominal）が与えられている、データ構造において、
許可された入力値の範囲についての情報及び／または前記立体メニュー（１）の外観を制御するために許可された深さ値の範囲についての情報を含むことを特徴とする、前記データ構造。
（付記１２）
ビデオデータ及びメニューデータを含むデータ構造であって、該メニューデータが１以上のグラフィカル要素（１１，１２，１３）を有する立体メニュー（１）を含み、該グラフィカル要素（１１，１２，１３）の各々には深さ値（Ｚnominal）が与えられている、データ構造において、
前記立体メニュー（１）の外観を制御することが許可または禁止されているか否かについての情報を含むことを特徴とする、前記データ構造。
（付記１３）
ビデオデータ及びメニューデータを含む記録媒体（１７）であって、該メニューデータが１以上のグラフィカル要素（１１，１２，１３）を有する立体メニュー（１）を含み、該グラフィカル要素（１１，１２，１３）の各々には深さ値（Ｚnominal）が与えられている、記録媒体（１７）において、
前記立体メニュー（１）の外観を制御するための許可された入力値の範囲についての情報、前記立体メニュー（１）の前記外観を制御するための許可された深さ値の範囲についての情報、及び、前記立体メニュー（１）の前記外観を制御することが許可または禁止されているか否かについての情報のうちの少なくとも１つを含むことを特徴とする、前記記録媒体（１７）。